(57)【要約】【課題】前ポケットを開けると同時に強制的に開口して、容易に物を収納できるランドセルを提供すること。【解決手段】ランドセルの前ポケット２５には、両側部に第２のマチ部２９を配置する。第２のマチ部２９の側部両縁部にばね片支持筒部２９１を形成し、ばね片支持筒部２９１に、略Ｕ字状に形成されたばね体３０の作用部３０２を挿通している。ばね体３０は、基部３０１を下部に配置して第２のマチ部２９にＵ字状に配置する。前ポケット２５のファスナー２７を開けることによって、ばね体３０の付勢力でばね体３０の作用部３０２を広げて前板２８を前方に移動させる。これによって前ポケット２５を大口に開口する。【選択図】図２
2005342013.tif 000002
【特許請求の範囲】
【請求項１】
背板、両側板、仕切り板に囲まれた主収納部の前方にポケット部が配置されるランドセルであって、
前記ポケット部が開閉可能な開閉部を備え、前記開閉部を開けることによって、前記ポケット部に配置された開口部付勢手段により、自動的に大口に形成されることを特徴とするランドセル。
【請求項２】
前記開口部付勢手段が、ポケット部の上部を広げるばね手段であることを特徴とする請求項１記載のランドセル。
【請求項３】
前記ばね手段が、略Ｕ字状に形成され、前記ポケット部の両側部にＵ字状の状態で配置されていることを特徴とする請求項２記載のランドセル。
【請求項４】
前記ばね手段が、軸心に対して直交する方向に可撓性を有するコイルばねであって、前記コイルばねを、前記ポケット部の側板上部に前記コイルばねの軸方向を開口方向に沿って配置することを特徴とする請求項２記載のランドセル。
【発明の詳細な説明】
【技術分野】
【０００１】
本発明は背板、両側板、仕切り板に囲まれた収納部の前方にポケット部を備えるランドセルに関する。
【背景技術】
【０００２】
一般にランドセル５０は、図７に示すように、背板５１と底板５２、両側板５３・５３と仕切り板５４とで教科書やノート等を収納する収納部５５を形成している。このランドセル５０の収納部５５の前方には、通常、前段５７が形成され、さらにその前方には前ポケット５８が形成されている。この前ポケット５８は、上面にファスナー５９が装着され、ファスナー５９の操作により内部が開閉可能に形成されていた。このタイプの前ポケット５８は、内部が空の状態でファスナー５９を閉じているときには、前ポケット５８自体が萎んでいて前ポケット５８の前板５８１が前段５７の前板５７１に接触している状態であることから、ファスナー５９を開けて物をしまう際、前ポケット５８の前板５８１を手で広げるように操作する必要があった。
【０００３】
このことは、例えば、一方の手で前ポケット５８に収納する物を持ち、他方の手でファスナー５９を開ける場合、いずれかの手で前ポケット５８の前板５８１を広げることになるから、操作しにくく手間がかかっていた。そのため、従来においては、これを改良する技術が、例えば、特許文献１に示されている。
【０００４】
特許文献１におけるランドセルは、前ポケットをポケット上部生地とポケット下部生地とに分け、ポケット上部生地の下部とポケット下部生地の上部とを縫合することによって一体的に形成していた。そしてポケット上部生地を、ポケット下部生地に対して前方に折り曲げることによって、前ポケットを広く開口できるように構成していた。
【特許文献１】特開２００４−２４２８５公報（３〜５頁、図１参照）
【発明の開示】
【発明が解決しようとする課題】
【０００５】
しかし、特許文献１に開示されている従来のランドセルにおいても、ファスナーを開けた後で、手でポケット上部生地を折り曲げ曲げる操作を必要とすることから、両手が塞がっている状態で操作することとなって、やはり、操作しにくい状態を完全に解決することはできていなかった。
【課題を解決するための手段】
【０００６】
本発明は、上述の課題を解決するものであり、ファスナーを開けたときに前ポケットが自然と広がるようにして収納を容易に行なうことのできるランドセルを提供することを目的とするものであり、そのために本発明に係るランドセルは、以下のように構成するものである。すなわち、
請求項１記載の発明では、背板、両側板、仕切り板に囲まれた主収納部の前方にポケット部が配置されるランドセルであって、
前記ポケット部が開閉可能な開閉部を備え、前記開閉部を開けることによって、前記ポケット部に配置された開口部付勢手段により、自動的に大口に形成されることを特徴とするものである。
【０００７】
請求項２記載の発明では、前記開口部付勢手段が、ポケット部の上部を広げるばね手段であることを特徴としている。
【０００８】
請求項３記載の発明では、前記ばね手段が、略Ｕ字状に形成され、前記ポケット部の両側部にＵ字状の状態で配置されていることを特徴としている。
【０００９】
請求項４記載の発明では、前記ばね手段が、軸心に対して直交する方向に可撓性を有するコイルばねであって、前記コイルばねを、前記ポケット部の側板上部に前記コイルばねの軸方向を開口方向に沿って配置することを特徴としている。
【発明の効果】
【００１０】
請求項１記載の発明によれば、ランドセルの主収納部と別にポケット部に物を収納する場合、ポケット部のファスナーを開けると同時に、ファスナーによって開口を規制されていたポケット部の上部が、開口部付勢手段によって前方に移動する。これによって、ポケット部は、手を使用して広げることなく大口を形成することができ、極めて容易に物を収納することができる。
【００１１】
請求項２乃至３記載の発明によれば、Ｕ字状に形成されたばね手段をポケット部の両側部にＵ字状となるように配置する。ばね手段は、ポケット部の上部を開口する方向に付勢していることから、ファスナーを閉じることによって、その上部を、付勢力に抗して狭めた状態にしている。そのためファスナーを開けることによって、ばね手段の上部が広がることとなり、それに伴ってポケット部が自動的に大口に開口されることとなる。これによって、ポケット部に物を収納しやすくなる。
【００１２】
請求項４記載の発明によれば、ポケット部の両側上部には、コイルばねがポケット部の側板に固着されていて、ポケット部を開口する方向に付勢するように配置されている。コイルばねには軸心に直交する方向に可撓性を有していることから、ファスナーを閉じることによって、側板の撓みと同時に、コイルばねが軸方向と直交する方向に撓むこととなる。この撓みは、ポケット部を開口する方向に付勢することになり、ファスナーを開けることによって、コイルばねが撓みを解除して直線状態に戻ろうとすることから、ポケット部を大口に開口させることとなる。これによって、請求項３と同様、ポケット部に物を収納しやすくなる。
【発明を実施するための最良の形態】
【００１３】
次に、本発明のランドセルの一形態を図面に基づいて説明する。なお、以下の説明にあたっては、ランドセルを背負う側（背板側）から離れる方向を前後方向における前方とする。
【００１４】
図１は、ランドセル１の全体を示す斜視図である。ランドセル１は、背板１１と、両側板１２・１２と、背板１１と対向する位置に配置する仕切り板１３と、底板１４と、背板１１、両側板１２・１２、仕切り板１３、底板１４で囲われる主収納部１５とを有している。主収納部１５は、背板１１に装着された開閉蓋１６により上部開口部が開閉される。また、主収納部１５の前方、つまり仕切り板１３の前方には、前段２０が配置され、前段２０の前方には前ポケット２５が配置されている。
【００１５】
前段２０は、仕切り板１３と前段２０の両サイドに配置される第１のマチ部２１・２１と、仕切り板１３と反対側に配置される第１の前板２２とを有して、それらに囲まれた副収納部２３が形成されている。
【００１６】
前ポケット２５は、図２に示すように、前板２２に対して逆Ｕ次状に配置して縫合されている第１のファスナー支持布２６１と、第１の前板２２に対向して配置される第２の前板２８に逆Ｕ次状に配置して縫合される第２のファスナー支持布２６２と、をファスナー２７で開閉可能に形成されている。さらに、前ポケット２５の両側部において、第１のファスナー支持布２６１と第２のファスナー支持布２６２の下端部を縫合支持する下段板２６と、第１のファスナー支持布２６１と第２のファスナー支持布２６２の両側部内側で下段板の上方に配置される、第２のマチ部２９・２９とが配置されている。
【００１７】
第２のマチ部２９は、上辺より底辺が短い台形状に形成され、前ポケット２５の前後方向に対して直交する方向に折り曲がり可能に配置されている。また、第２のマチ部２９は、両側縁部にばね片支持筒部２９１・２９１を形成して上部を折り曲がり状態から真直する方向に付勢するばね体３０を支持している。
【００１８】
ばね体３０の第１の形態は、図３に示すように、線状鉄片をＵ字状に形成する。Ｕ字状を形成する下部は付勢力を支持する基部３０１として形成され、縦方向に延びる両直線部は付勢力で作用する作用部３０２・３０２として形成される。
【００１９】
それぞれの作用部３０２を第２のマチ部２９のばね片支持筒部２９１内に挿通することによって、前ポケット２５をファスナー２７で閉じたときに、ばね体３０の作用部３０２をお互いに接近する方向に作用させて、第２のマチ部２９を前段２０から開口する方向に付勢する。
【００２０】
別の形態のばね体３０Ａは、図４に示すように、巻付け部３０４を形成した基部３０３と、基部３０３から両側に延設する作用部３０５・３０５を有して付勢力を向上するようにして形成する。図例においては、巻付け部３０４を１巻きにしたものであるが、もちろん二重以上の多重巻きに形成してもよい。
【００２１】
さらに、ファスナー２７を開けたときに前ポケット２５を強制的に広げる別の形態としては、図５に示すように、第２のマチ部２９の上縁部に、前後方向に沿ってコイルばね３１を装着して構成する。つまり、第２のマチ部２９の上縁部にコイルばね３１を配置した後、コイルばね３１の表面からばね支持布部２９２を被せて第２のマチ部２９に縫合する。
【００２２】
コイルばね３１は軸方向に直交する方向に可撓性を有しており、前ポケット２５をファスナー２７で閉じることによって、第２のマチ部２９の折り曲がりに伴って撓む。この際、コイルばね３１は、前ポケット２５を広げる方向に付勢力を有することとなる。
【００２３】
次に、上記のように構成されたランドセル１の作用を説明する。
【００２４】
図１に示すように、ファスナー２７を上部に上げてランドセル１の前ポケット２５を閉じている状態では、前ポケット２５は、その側部においてばね体３０（又は３０Ａ）の付勢力に抗して第２の前板２８が第１の前板２２側に接近している。図６に示すようにファスナー２７を操作して前ポケット２５を開けると、ばね体３０（又は３０Ａ）のそれぞれの作用部３０２（図３参照）が付勢力により基部３０１を中心として開き、第２の前板２８を前方に押し出すことによって、第２の前板２８は第１の前板２２から遠ざかり、前ポケット２５を開口する。
【００２５】
従って、ファスナー２７を開けると同時に前ポケット２５が開口することから、前ポケット２５に物を入れやすくなる。
【００２６】
上述のように、実施形態のランドセル１では、主収納部１５の前方に配置されている前ポケット２５に物を収納する場合、前ポケット２５のファスナー２７を開けると同時に、ポケット部２５の両側部における第２のマチ部２９が、ばね体３０（又は３０Ａ、３１）の付勢力で折り曲げられた状態から真直方向に延びることによって、前ポケット２５を開口する。これによって、前ポケット２５は、手を使用して広げることなく大口を形成することができ、極めて容易に物を収納することができる。
【００２７】
なお、本発明のランドセルは上記の形態に限定するものではない。例えば、開口部付勢手段は、ばね手段に限らず第２のマチ部に弾性を有する材料で形成して、ファスナーを開けたときにポケット部が開口できるようにするものであってもよい。又、ポケット部は、前ポケット２５ではなく前段２０にファスナーを装着するものであってもよい。
【図面の簡単な説明】
【００２８】
【図１】本発明の一形態によるランドセルを示す斜視図である。
【図２】図１における前ポケットの第２のマチ部を示す内側側面図である。
【図３】図２におけるばね体を示す図である。
【図４】別の形態のばね体を示す図である。
【図５】さらに別のばね体を装着した前ポケットを示す一部平面断面図である。
【図６】図１におけるランドセルの前ポケットを開口した状態を示す作用図である。
【図７】従来のランドセルを示す斜視図である。
【符号の説明】
【００２９】
１、ランドセル
１１、背板
１２、側板
１３、仕切り板
１４、底板
１５、主収納部
２０、前段
２２、第１の前板
２５、前ポケット
２７、ファスナー
２８、第２の前板
２９、第２のマチ部
２９１、ばね片支持筒部
２９２、ばね支持布部
３０、ばね体
３０１、基部
３０２、作用部
３１、コイルばね
【図１】
2005342013.tif 000003
【図２】
2005342013.tif 000004
【図３】
2005342013.tif 000005
【図４】
2005342013.tif 000006
【図５】
2005342013.tif 000007
【図６】
2005342013.tif 000008
【図７】
2005342013.tif 000009